(57)【要約】【課題】同一の商用電源に複数台の画像形成装置を接続した場合においても、商用電源の同時期の過電流使用を防止し、また、無駄な電力の削減が可能な画像形成装置監視システムを提供すること。【解決手段】ネットワークに接続され、通常の稼働を行う通常モードと、前記通常モードよりも使用電力を削減した省エネルギーモードと、を有し、外部からの指示に従って前記通常モードと前記省エネルギーモードとを切り換える複数の画像形成装置と、前記ネットワークを介して前記画像形成装置を監視し、前記通常モードにある前記画像形成装置に対して前記省エネルギーモードへの移行指示を行い、また、前記省エネルギーモードにある前記複数の画像形成装置に対して各画像形成装置の前記省エネルギーモードから前記通常モードへの移行時期を異ならせるように前記省エネルギーモードの解除指示を行う監視装置と、を備える。【選択図】        図１
2006262163.tif 000002
【特許請求の範囲】
【請求項１】
ネットワークに接続され、通常の稼働を行う通常モードと、前記通常モードよりも使用電力を削減した省エネルギーモードと、を有し、外部からの指示に従って前記通常モードと前記省エネルギーモードとを切り換える複数の画像形成装置と、
前記ネットワークを介して前記画像形成装置を監視し、前記通常モードにある前記画像形成装置に対して前記省エネルギーモードへの移行指示を行い、また、前記省エネルギーモードにある前記複数の画像形成装置に対して各画像形成装置の前記省エネルギーモードから前記通常モードへの移行時期を異ならせるように前記省エネルギーモードの解除指示を行う監視装置と、
を備えることを特徴とする画像形成装置監視システム。
【請求項２】
前記監視装置は、前記ネットワークを介して前記画像形成装置を監視し、前記通常モードにある前記画像形成装置に対して電源の切断指示を行い、また、電源が切断状態にある前記複数の画像形成装置に対して各画像形成装置の立ち上げ時期を異ならせるように電源の入力指示を行うこと
を特徴とする請求項１に記載の画像形成装置監視システム。
【請求項３】
前記監視装置は、前記複数の画像形成装置のうち立ち上げ時間の長い画像形成装置に対して優先的に前記省エネルギーモードの解除を行うように前記解除指示を行うこと
を特徴とする請求項１に記載の画像形成装置監視システム。
【請求項４】
前記監視装置は、時間を計測する計測手段を備え、予め設定された時間に前記省エネルギーモードへの移行指示を行い、また予め設定された時間に前記省エネルギーモードの解除指示を行うこと
を特徴とする請求項１に記載の画像形成装置監視システム。
【請求項５】
前記監視装置は、カレンダー機能および時間を計測する計測手段を備え、予め設定された日時に前記省エネルギーモードへの移行指示を行い、また予め設定された日時に前記省エネルギーモードの解除指示を行うこと
を特徴とする請求項１に記載の画像形成装置監視システム。
【請求項６】
前記複数の画像形成装置内のうち、特定の画像形成装置に対してのみ前記省エネルギーモードへの移行指示を行うこと
を特徴とする請求項１に記載の画像形成装置監視システム。
【請求項７】
前記監視装置は、所定のエリアに於ける人の入退出を監視する入退出監視手段とネットワークを介して接続され、前記入退出監視手段からの情報に基づいて前記省エネルギーモードへの移行指示および前記省エネルギーモードの解除指示を行うこと
を特徴とする請求項１に記載の画像形成装置監視システム。
【請求項８】
前記監視装置は、照明設備の点灯および消灯を制御する照明設備制御手段とネットワークを介して接続され、前記入退出監視手段からの情報に基づいて前記照明設備の点灯および消灯を前記照明設備制御手段に指示すること
を特徴とする請求項７に記載の画像形成装置監視システム。
【請求項９】
前記照明設備のうち、特定の照明設備に対してのみ消灯を指示すること
を特徴とする請求項８に記載の画像形成装置監視システム。
【請求項１０】
前記複数の画像形成装置を複数のグループに分割し、前記グループ内の各画像形成装置の前記省エネルギーモードから前記通常モードへの移行時期を異ならせるように前記省エネルギーモードの解除指示を行うこと
を特徴とする請求項１に記載の画像形成装置監視システム。
【発明の詳細な説明】
【技術分野】
【０００１】
本発明は、複写機、プリンタ、ファクシミリ、またはこれらの機能を複合した画像形成装置等の電力使用状況をネットワークを介して監視、制御する画像形成装置監視システムに関する。
【背景技術】
【０００２】
近年、環境保全の目的から、機器の電力削減および機器を使用してない時の電力削減が重要になってきている。また、ユザー側にとっても機器の電力削減および機器を使用してない時の無駄な電力削減は経済的に重要である。
【０００３】
このような課題を解決するために、たとえばネットワークプリンタの電源の使用状態を監視する電源状態監視手段を備え、このネットワークプリンタの使用状態を記憶し、この記憶された情報に基づいてネットワークプリンタの電源をＯＮ／ＯＦＦする電源制御装置が開示されている（たとえば、特許文献１参照）。
【０００４】
また、たとえば所定の時間帯での各画像形成装置の履歴画像形成ジョブ数または各画像形成装置の画像形成性能に基づいて、画像形成装置の電源投入または遮断の優先順位を決定するネットワーク画像形成システムが開示されている（たとえば、特許文献２参照）。
【０００５】
また、コンピュータと複数のプリンタ装置とをネットワークを介して相互に接続し、最も早く印刷を開始できるプリンタ装置を自動選択する、または最も消費電力を必要としないプリンタ装置を自動選択するプリンタシステムが開示されている（たとえば、特許文献３参照）。
【０００６】
【特許文献１】特開平１１−３０１０６５号公報
【特許文献２】特開２０００−３５３０７０号公報
【特許文献３】特開２００２−３１８６７４号公報
【発明の開示】
【発明が解決しようとする課題】
【０００７】
ところで、トナー画像が形成された媒体を加圧および過熱してトナー画像の定着を行う定着装置を備えた画像形成装置は、多くの電力を必要とする。特に、定着ヒーターを長時間ＯＦＦする省エネルギーモード等の場合には、電源ＯＮ時に大電流が定着ヒーターに流れる。ところが、商用電源が１００Ｖ、１５Ａ定格のブレーカーを備えた商用電源（コンセント）に画像形成装置を複数台、接続したオフィスも多く存在する。これは、コピー時に他の機械も含め、１００Ｖ、１５Ａ定格のブレーカーが遮断しないようにしたものであり、複写機、プリンタ等のＯＡ機器の電源を一度にＯＮした時の突入電流は考慮していない場合が多い。
【０００８】
このような場合、昼休み、または出勤時間等に遠隔操作により複写機、プリンタ等のＯＡ機器の電源を一度にＯＮすると、ブレーカーが遮断する可能性がある、したがって、ＯＡ機器の電源を一度にＯＮした場合でもブレーカーが遮断しないようにするためには、コンセントに接続する複写機、プリンタ等のＯＡ機器の台数を従来より制限する必要がある。さらに、昼休み等に画像形成装置等の電源を一度にＯＮしてブレーカーが遮断した場合、作成中のパソコンのデーダーが消滅する最悪の事態が発生するおそれもある。
【０００９】
しかしながら、上記の特許文献１、特許文献２および特許文献３に開示されたような従来の技術では、斯かる問題について解決することはできず、このような問題を解決する技術は未だ確立されていないのが現状である。
【００１０】
本発明は、上記に鑑みてなされたものであって、同一の商用電源に複数台の画像形成装置を接続した場合においても、商用電源の同時期の過電流使用を防止し、また、無駄な電力の削減が可能な画像形成装置監視システムを提供すること目的とする。
【課題を解決するための手段】
【００１１】
上述した課題を解決し、目的を達成するために、請求項１にかかる画像形成装置監視システムは、ネットワークに接続され、通常の稼働を行う通常モードと、通常モードよりも使用電力を削減した省エネルギーモードと、を有し、外部からの指示に従って通常モードと省エネルギーモードとを切り換える複数の画像形成装置と、ネットワークを介して画像形成装置を監視し、通常モードにある画像形成装置に対して省エネルギーモードへの移行指示を行い、また、省エネルギーモードにある複数の画像形成装置に対して各画像形成装置の省エネルギーモードから通常モードへの移行時期を異ならせるように省エネルギーモードの解除指示を行う監視装置と、を備えることを特徴とする。
【００１２】
また、請求項２にかかる画像形成装置監視システムは、前記監視装置が、ネットワークを介して画像形成装置を監視し、通常モードにある画像形成装置に対して電源の切断指示を行い、また、電源が切断状態にある複数の画像形成装置に対して各画像形成装置の立ち上げ時期を異ならせるように電源の入力指示を行うことを特徴とする。
【００１３】
また、請求項３にかかる画像形成装置監視システムは、監視装置が、複数の画像形成装置のうち立ち上げ時間の長い画像形成装置に対して優先的に省エネルギーモードの解除を行うように解除指示を行うことを特徴とする。
【００１４】
また、請求項４にかかる画像形成装置監視システムは、監視装置が、時間を計測する計測手段を備え、予め設定された時間に省エネルギーモードへの移行指示を行い、また予め設定された時間に省エネルギーモードの解除指示を行うことを特徴とする。
【００１５】
また、請求項５にかかる画像形成装置監視システムは、監視装置が、カレンダー機能および時間を計測する計測手段を備え、予め設定された日時に省エネルギーモードへの移行指示を行い、また予め設定された日時に省エネルギーモードの解除指示を行うことを特徴とする。
【００１６】
また、請求項６にかかる画像形成装置監視システムは、複数の画像形成装置内のうち、特定の画像形成装置に対してのみ省エネルギーモードへの移行指示を行うことを特徴とする。
【００１７】
また、請求項７にかかる画像形成装置監視システムは、監視装置が、所定のエリアに於ける人の入退出を監視する入退出監視手段とネットワークを介して接続され、入退出監視手段からの情報に基づいて省エネルギーモードへの移行指示および省エネルギーモードの解除指示を行うことを特徴とする。
【００１８】
また、請求項８にかかる画像形成装置監視システムは、監視装置が、照明設備の点灯および消灯を制御する照明設備制御手段とネットワークを介して接続され、入退出監視手段からの情報に基づいて照明設備の点灯および消灯を照明設備制御手段に指示することを特徴とする。
【００１９】
また、請求項９にかかる画像形成装置監視システムは、照明設備のうち、特定の照明設備に対してのみ消灯を指示することを特徴とする。
【００２０】
また、請求項１０にかかる画像形成装置監視システムは、複数の画像形成装置を複数のグループに分割し、グループ内の各画像形成装置の省エネルギーモードから通常モードへの移行時期を異ならせるように省エネルギーモードの解除指示を行うことを特徴とする。
【発明の効果】
【００２１】
請求項１にかかる発明によれば、各画像形成装置における省エネルギーモードから通常モードへの移行時期を異ならせるように制御するため、商用電源に複数の画像形成装置を接続した場合においても商用電源の同時期の使用電流量を低減して商用電源の同時期の過電流使用を防止することができ、且つ必要としない画像形成装置を省エネルギーモードに移行し、必要時に省エネルギーモードを解除することにより無駄な電力を効果的に削減することができる、という効果を奏する。
【００２２】
また、請求項２にかかる発明によれば、各画像形成装置における電源の切断状態からの立ち上げ時期を異ならせるように制御するため、商用電源に複数の画像形成装置を接続した場合においても商用電源の同時期の使用電流量を低減して商用電源の同時期の過電流使用を防止することができ、且つ必要としない画像形成装置の電源を切断し、必要時に立ち上げることにより無駄な電力を効果的に削減することができる、という効果を奏する。
【００２３】
また、請求項３にかかる発明によれば、複数の画像形成装置のうち立ち上げ時間の長い画像形成装置に対して優先的に省エネルギーモードの解除を行うように制御するため、各画像形成装置の省エネルギーモードの解除終了時期を略同時期とすることができる、という効果を奏する。
【００２４】
また、請求項４にかかる発明によれば、予め設定された時間に省エネルギーモードへの移行指示を行い、また予め設定された時間に省エネルギーモードの解除指示を行うため、予め設定された時間に自動的に画像形成装置のモードの切り替えが可能である、という効果を奏する。
【００２５】
また、請求項５にかかる発明によれば、予め設定された日時に省エネルギーモードへの移行指示を行い、また予め設定された日時に省エネルギーモードの解除指示を行うため、予め設定された日時に自動的に画像形成装置のモードの切り替えが可能である、という効果を奏する。
【００２６】
また、請求項６にかかる発明によれば、複数の画像形成装置内のうち、特定の画像形成装置に対してのみ省エネルギーモードへの移行指示を行うため、必要な画像形成装置を使用しつつ不要な画像形成装置における無駄な電力を効果的に削減することができる、という効果を奏する。
【００２７】
また、請求項７にかかる発明によれば、入退出監視手段からの情報に基づいて省エネルギーモードへの移行指示および省エネルギーモードの解除指示を行うため、人の動向に会わせて画像形成装置のモードを制御することができる、という効果を奏する。
【００２８】
また、請求項８にかかる発明によれば、入退出監視手段からの情報に基づいて照明設備の点灯および消灯を照明設備制御手段に指示するため、人の動向に会わせて画像形成装置のモードを制御することができる、という効果を奏する。
【００２９】
また、請求項９にかかる発明によれば、特定の照明設備に対してのみ消灯を指示するため、必要な照明設備を使用しつつ不要な照明設備における無駄な電力を効果的に削減することができる、という効果を奏する。
【００３０】
また、請求項１０にかかる発明によれば、複数の画像形成装置を複数のグループに分割し、グループ内の各画像形成装置の省エネルギーモードから通常モードへの移行時期を異ならせるように省エネルギーモードの解除指示を行うため、制御形態の自由度が大きくなる、という効果を奏する。
【発明を実施するための最良の形態】
【００３１】
以下に添付図面を参照して、この発明にかかる画像形成装置監視システムの最良な実施の形態を詳細に説明する。
【００３２】
［実施の形態］
図１は、本発明の実施の形態にかかる機器監視システムの概略構成を説明するための図であり、会社（ビル）に設置されたＯＡ機器、照明設備制御装置、入退出管理システムが社内ＬＡＮに接続され、その社内ＬＡＮを介して監視装置に接された、機器監視システムの概略構成を説明するための図である。
【００３３】
なお、この機器監視システムは、本発明にかかる画像形成装置監視システム以外の機能、例として、社員の入退出を監視したセキュリティ管理機能等も備えているが、本願の説明では画像形成装置監視システムの機能についてのみ説明する。したがって、以下においては、この機器監視システムを画像形成装置監視システムとして記述する。
【００３４】
本実施の形態にかかる画像形成装置監視システムは、１階のフロアまたはＡ居室３０１に設置されるとともに社内ＬＡＮ３１０に接続された画像形成装置２０３、２１０、画像形成装置（プリンター）２０４、パソコン２０５、入退出管理システム２２０、照明設備制御装置２０１と、２階フロアまたはＢ居室３０２に設置されるとともに社内ＬＡＮ３１０に接続された画像形成装置２０６、画像形成装置（プリンター）２１１、パソコン２０７、入退出管理システム２２１、照明設備制御装置２０２と、同じく３階のフロアまたはＣ居室３０３に設置されるとともに社内ＬＡＮ３１０に接続された画像形成装置２１５、２１２、２１３、ＦＡＸ２２３、入退出管理システム２２２、照明設備制御装置２１４と、社内ＬＡＮ３１０に接続されるとともにこれらの装置を監視する監視装置２０８と、で構成される。
【００３５】
入退出管理システム２２０、２２１、２２２は、ＩＣカードに個人情報を記憶したＩＣカード情報を読み込むことにより、人の入退出管理およびセキュリティー管理を行っている。入退出管理システム２２０、２２１、２２２は、各フロアまたは部屋の全ての人が退社した場合、および各フロアまたは部屋に人が入った場合に、社内ＬＡＮ３１０を通してその情報を監視装置２０８に送信する。なお、監視装置２０８には上述した機器の情報を記憶管理するサーバー２０９が接続されている。
【００３６】
また、監視装置２０８は、時計機能およびカレンダー機能を有しており、予め設定された日時またはお昼休み等の休憩時間になると、照明および画像形成装置等の電源をＯＦＦし、または省エネルギーモードへの移行動作を行う。また、監視装置２０８は、予め設定された日時またはお昼休み等の休憩時間が終了する時間になると、照明および画像形成装置等の電源をＯＮし、または省エネルギーモードの解除動作を行う。
【００３７】
つぎに、監視装置２０８の具体的な動作を図２−１および図２−２に示す制御フローチャートに基づいて説明する。図２−１および図２−２は、監視装置２０８が各室内の画像形成装置を省エネルギーモードに移行する、または省エネルギーモードを解除する場合の制御フローチャート、および各室内の照明を消灯または点灯させる場合の制御フローチャートである。
【００３８】
まず、監視装置内２０８に設けられたＣＰＵ（図示せず）は、現在の日時の確認を行い、（ステップＳ１０１）、予め設定された電力制御を行う日時であるか否かを判断する（ステップＳ１０２）。たとえば、一例として、現在の日時が、「夏休みまたは冬休みに入る前日の２０時００分、または金曜日の２０時００分であるか」をチェックする。
【００３９】
ここで、ステップＳ１０２の判断で現在の日時が予め設定された省エネルギーモードに移行する、または照明を消灯する日時である場合は（ステップＳ１０２肯定）、Ａ居室３０１の予め設定（記憶）された照明を消灯する信号を照明設備制御装置２０１に出力する（ステップＳ１０３）。つぎに、Ａ居室３０１の予め設定（記憶）された画像形成装置２０３、２０４、２１０に、省エネルギーモードに移行する信号を出力する（ステップＳ１０４）。
【００４０】
つぎに、Ｂ居室３０２の予め設定（記憶）された照明を消灯する信号を照明設備制御装置２０２に出力する（ステップＳ１０５）。つぎに、Ｂ居室３０２の予め設定（記憶）された画像形成装置２０６、２１１に、省エネルギーモードに移行する信号を出力する（ステップＳ１０６）。
【００４１】
つぎに、Ｃ居室３０３の予め設定（記憶）された照明を消灯する信号を照明設備制御装置２１４に出力する（ステップＳ１０７）。つぎに、Ｃ居室３０３の予め設定（記憶）された画像形成装置２１５、２１２、２１３に、省エネルギーモードに移行する信号を出力し（ステップＳ１０８）、本制御フローは終了する。
【００４２】
また、ステップＳ１０２の判断で現在の日時が予め設定された省エネルギーモードに移行する、または照明を消灯する日時でない場合は、現在の日時が予め設定された省エネルギーモードを解除する日時であるか否かを判断する（ステップＳ１０９）。たとえば、一例として、現在の日時が、「夏休みまたは冬休みが終了した翌日の９時００分、または月曜日の９時００分であるか」をチェックする。
【００４３】
ここで、ステップＳ１０９の判断で現在の日時が予め設定された省エネルギーモードを解除する日時である場合は（ステップＳ１０９肯定）、まず、Ａ居室３０１の予め設定（記憶）された照明を点灯する信号を照明設備制御装置２０１に出力する（ステップＳ１１０）。つぎに、Ｂ居室３０２の予め設定（記憶）された照明を点灯する信号を照明設備制御装置２０２に送信する（ステップＳ１１１）。そして、Ｃ居室３０３の予め設定（記憶）された照明を点灯する信号を照明設備制御装置２１４に送信する（ステップＳ１１２）。
【００４４】
つぎに、Ａ居室３０１のＬＡＮ３１０に接続された画像形成装置のグループについて、立ち上げ時間の長い順に省エネルギーモードを解除するための優先度情報が設定されているか否かを確認する（ステップＳ１１３）。ここで、優先度情報があった場合は（ステップＳ１１３肯定）、立ち上げ時間の一番長い画像形成装置、たとえば画像形成装置２１０に省エネルギーモード解除信号を送信する（ステップＳ１１４）。
【００４５】
つぎに、同時に電源投入が行われることを防止するために、時間をカウントして（たとえば、Ｎ分）（ステップＳ１１５）、一定時間の経過後に、つぎに立ち上げ時間が長い画像形成装置、たとえば画像形成装置２０３に省エネルギーモード解除信号を送信する（ステップＳ１１６）。つぎに、時間をカウントして（たとえば、Ｎ分）（ステップＳ１１７）、一定時間の経過後に、つぎに立ち上げ時間が長い画像形成装置２０４に省エネルギーモード解除信号を送信する（ステップＳ１１８）。
【００４６】
つぎに、Ｂ居室３０２グループの画像形成装置についても、Ａ居室３０１グループの場合と同様な確認動作と省エネルギーモード解除信号の送信動作を行う（ステップＳ１１９）。そして、Ｃ居室３０３グループの画像形成装置についても、Ａ居室３０１グループの場合と同様な確認動作と省エネルギーモード解除信号の送信動作を行い（ステップＳ１２０）、本制御フローは終了する。
【００４７】
一方、ステップＳ１１３の判断において、Ａ居室３０１のＬＡＮ３１０に接続された画像形成装置のグループについて、立ち上げ時間の長い順に省エネルギーモードを解除するための優先度情報が設定されていない場合は（ステップＳ１１３否定）、Ａ居室３０１のＬＡＮ３１０に接続された画像形成装置のグループについて、消費電力の大きい順に省エネルギーモードを解除するための優先度情報が設定（記憶）されているか否かを確認する（ステップＳ１２１）。
【００４８】
ここで、優先度情報があった場合は（ステップＳ１２１肯定）、消費電力の一番大きい画像形成装置、たとえば画像形成装置２１０に省エネルギーモード解除信号を送信する（ステップＳ１２２）。つぎに、同時に電源投入が行われることを防止するために、時間をカウントして（たとえば、Ｎ分）（ステップＳ１２３）、一定時間の経過後に、つぎに消費電力の大きい画像形成装置、たとえば画像形成装置２０３に省エネルギーモード解除信号を送信する（ステップＳ１２４）。つぎに時間をカウントして（たとえば、Ｎ分）（ステップＳ１２５）、一定時間の経過後に、つぎに消費電力の大きい画像形成装置、たとえば画像形成装置２０４に省エネルギーモード解除信号を送信する（ステップＳ１２６）。
【００４９】
そして、Ｂ居室３０２グループの画像形成装置についても、Ａ居室３０１グループの場合と同様な確認動作と省エネルギーモード解除信号の送信動作を行う（ステップＳ１２７）。そして、Ｃ居室３０３グループの画像形成装置についても、Ａ居室３０１グループの場合と同様な確認動作と省エネルギーモード解除信号の送信動作を行い（ステップＳ１２８）、本制御フローは終了する。
【００５０】
一方、ステップＳ１２１の判断において、Ａ居室３０１のＬＡＮ３１０に接続された画像形成装置のグループについて、消費電力の大きい順に省エネルギーモードを解除するための優先度情報が設定されていない場合は（ステップＳ１２１否定）、Ａ居室３０１のＬＡＮ３１０に接続されたグループの画像形成装置、たとえば画像形成装置２０３に省エネルギーモード解除信号送信する（ステップＳ１２９）。
【００５１】
つぎに、同時に電源投入が行われることを防止するために、時間をカウントして（たとえば、Ｎ分）（ステップＳ１３０）、次の画像形成装置、たとえば画像形成装置２０４に省エネルギーモード解除信号を送信する（ステップＳ１３１）。つぎに、時間をカウントして（たとえば、Ｎ分）（ステップＳ１３２）、一定時間の経過後に、つぎの画像形成装置、たとえば画像形成装置２１０に省エネルギーモード解除信号を送信する（ステップＳ１３３）。
【００５２】
そして、Ｂ居室３０２グループの画像形成装置についても、Ａ居室３０１グループの場合と同様な省エネルギーモード解除信号の送信動作を行う（ステップＳ１３４）。そして、Ｃ居室３０３グループの画像形成装置についても、Ａ居室３０１グループの場合と同様な省エネルギーモード解除信号の送信動作を行い（ステップＳ１３５）、本制御フローは終了する。
【００５３】
また、ステップＳ１０９の判断で現在の日時が予め設定された省エネルギーモードを解除する日時でない場合は（ステップＳ１０９否定）、現在の曜日が月曜日〜金曜日のいずれかであるかを判断する（ステップＳ１３６）。ここで、現在の曜日が月曜日〜金曜日のいずれかでない場合は（ステップＳ１３６否定）、本制御フローは終了する。
【００５４】
一方、現在の曜日が月曜日〜金曜日のいずれかである場合は（ステップＳ１３６肯定）、つぎに現在の時刻が休憩時間であるか否かを判断する（ステップＳ１３７）。ここで、現在の時刻が休憩時間である場合には（ステップＳ１３７肯定）、ステップＳ１０３に移行する。また、現在の時刻が休憩時間でない場合には（ステップＳ１３７否定）、つぎに現在の時刻が退社時間であるか否かを判断する（ステップＳ１３８）。
【００５５】
ここで、現在の時刻が退社時間である場合には（ステップＳ１３８肯定）、ステップＳ１０３に移行する。また、現在の時刻が退社時間でない場合には（ステップＳ１３８否定）、つぎに現在の時刻が休憩終了時間であるか否かを判断する（ステップＳ１３９）。ここで、現在の時刻が休憩終了時間である場合は（ステップＳ１３９肯定）、ステップＳ１１０に移行する。
【００５６】
一方、現在の時刻が休憩終了時間でない場合には（ステップＳ１３９否定）、つぎに現在の時刻が出勤時間であるか否かを判断する（ステップＳ１４０）。ここで、現在の時刻が出勤時間である場合には（ステップＳ１４０肯定）、ステップＳ１１０に移行する。また、現在の時刻が出勤時間でない場合には（ステップＳ１４０否定）、本制御フローは終了する。
【００５７】
つぎに、入退出管理システムからの情報に基づいて監視装置２０８が各室内の画像形成装置を制御する場合について図３−１および図３−２のフローチャートに基づいて説明する。図３−１および図３−２は、入退出管理システムからの情報に基づいて、監視装置２０８が各室内の画像形成装置を省エネルギーモードに移行または省エネルギーモードを解除する場合の制御フローチャート、および各室内の照明を消灯または点灯させる場合の制御フローチャートである。
【００５８】
まず、監視装置２０８内に設けられたＣＰＵ（図示せず）は、入退出管理システム２２０、２２１、２２２からの信号があるか否かを確認する（ステップＳ２０１）。ここで、信号が無い場合は（ステップＳ２０１否定）、本制御フローは終了する。
【００５９】
一方、ステップＳ２０１において監視装置２０８からの信号がある場合は（ステップＳ２０１肯定）、Ａ居室３０１の全員が退出または退社した旨の信号であるかを確認し、Ａ居室３０１の全員が退出または退社したか否かを判断する（ステップＳ２０２）。
【００６０】
ここで、監視装置２０８からの信号がＡ居室３０１の全員が退出または退社した旨の信号である場合は（ステップＳ２０２肯定）、Ａ居室３０１の予め設定（記憶）された照明を消灯する信号を照明設備制御装置２０１に送信する（ステップＳ２０３）。つぎに、Ａ居室３０１の予め設定（記憶）された画像形成装置２０３、２０４、２１０に、省エネルギーモードに移行する信号を送信する（ステップＳ２０４）。そして、Ａ居室３０１の全員が退出または退社したことを示すフラグをセットし（ステップＳ２０５）、本制御フローは終了する。
【００６１】
また、ステップＳ２０２の判断において、監視装置２０８からの信号がＡ居室３０１の全員が退出または退社した旨の信号でない場合は（ステップＳ２０２否定）、Ｂ居室３０２の全員が退出または退社した信号であるかを確認し、Ｂ居室３０２の全員が退出または退社したか否かを判断する（ステップＳ２０６）。
【００６２】
ここで、監視装置２０８からの信号がＢ居室３０２の全員が退出または退社した旨の信号である場合は（ステップＳ２０６肯定）、Ｂ居室３０２の予め設定（記憶）された照明を消灯する信号を照明設備制御装置２０２に送信する（ステップＳ２０７）。つぎに、Ｂ居室３０２の予め設定（記憶）された画像形成装置２０６、２１１に省エネルギーモードに移行する信号を送信する（ステップＳ２０８）。そして、Ｂ居室３０２の全員が退出または退社したことを示すフラグ（たとえば、フラグ＝２）をセットし（ステップＳ２０９）、本制御フローは終了する。
【００６３】
また、ステップＳ２０６の判断において、監視装置２０８からの信号がＢ居室３０２の全員が退出または退社した旨の信号でない場合は（ステップＳ２０６否定）、Ｃ居室３０３の全員が退出または退社した信号であるかを確認し、Ｃ居室３０３の全員が退出または退社したか否かを判断する（ステップＳ２１０）。
【００６４】
ここで、監視装置２０８からの信号がＣ居室３０３の全員が退出または退社した旨の信号である場合は（ステップＳ２１０肯定）、Ｃ居室３０３の予め設定（記憶）された照明を消灯する信号を照明設備制御装置２１４に送信する（ステップＳ２１１）。つぎに、Ｃ居室３０３の予め設定（記憶）された画像形成装置２１５、２１２、２１３に省エネルギーモードに移行する信号を送信する（ステップＳ２１２）。そして、Ｃ居室３０３の全員が退出または退社したことを示すフラグ（たとえば、フラグ＝３）をセットし（ステップＳ２１３）、本制御フローは終了する。
【００６５】
また、ステップＳ２１０の判断において、監視装置２０８からの信号がＡ居室３０１、Ｂ居室３０２およびＣ居室３０３の全員が退出または退社した信号でない場合は（ステップＳ２１０否定）、Ａ居室３０１の全員が退出または退社したフラグ（たとえば、フラグ＝１）がセットされているか否かを確認する（ステップＳ２１４）。
【００６６】
ここで、Ａ居室３０１の全員が退出または退社したフラグ（たとえば、フラグ＝１）がセットされている場合は（ステップＳ２１４肯定）、Ａ居室３０１に入室者があるか否かを確認する（ステップＳ２１５）。Ａ居室３０１に入室者がある場合は（ステップＳ２１５肯定）、Ａ居室３０１の予め設定（記憶）された照明を点灯する信号を照明設備制御装置２０１に送信する（ステップＳ２１６）。
【００６７】
つぎに、Ａ居室３０１のＬＡＮ３１０に接続された画像形成装置のグループについて、立ち上げ時間の長い順に省エネルギーモードを解除するための優先度情報が設定されているか否かを確認する（ステップＳ２１７）。ここで、優先度情報があった場合は（ステップＳ２１７肯定）、立ち上げ時間の一番長い画像形成装置、たとえば画像形成装置２１０に省エネルギーモード解除信号を送信する。
【００６８】
つぎに、同時に電源投入が行われることを防止するために、時間をカウントして（たとえば、Ｎ分）、一定時間の経過後に、つぎに立ち上げ時間が長い画像形成装置、たとえば画像形成装置２０３に省エネルギーモード解除信号を送信する。そして、時間をカウントして（たとえば、Ｎ分）、一定時間の経過後に、つぎに立ち上げ時間が長い画像形成装置２０４に省エネルギーモード解除信号を送信し（ステップＳ２１８）、本制御フローは終了する。
【００６９】
一方、ステップＳ２１７の判断において、Ａ居室３０１のＬＡＮ３１０に接続された画像形成装置のグループについて、立ち上げ時間の長い順に省エネルギーモードを解除するための優先度情報が設定されていない場合は（ステップＳ２１７否定）、Ａ居室３０１のＬＡＮ３１０に接続された画像形成装置のグループについて、消費電力の大きい順に省エネルギーモードを解除するための優先度情報が設定（記憶）されているか否かを確認する（ステップＳ２１９）。
【００７０】
ここで、優先度情報があった場合は、消費電力の一番大きい画像形成装置、たとえば画像形成装置２１０に省エネルギーモード解除信号を送信する。つぎに、同時に電源投入が行われることを防止するために、時間をカウントして（たとえば、Ｎ分）、一定時間の経過後に、つぎに消費電力の大きい画像形成装置、たとえば画像形成装置２０３に省エネルギーモード解除信号を送信する。そして、時間をカウントして（たとえば、Ｎ分）、一定時間の経過後に、つぎに消費電力の大きい画像形成装置、たとえば画像形成装置２０４に省エネルギーモード解除信号を送信し（ステップＳ２２０）、本制御フローは終了する。
【００７１】
一方、ステップＳ２１９の判断において、Ａ居室３０１のＬＡＮ３１０に接続された画像形成装置のグループについて、消費電力の大きい順に省エネルギーモードを解除するための優先度情報が設定されていない場合は（ステップＳ２１９否定）、Ａ居室３０１のＬＡＮ３１０に接続されたグループの画像形成装置、たとえば画像形成装置２０３に省エネルギーモード解除信号送信する（ステップＳ２２１）。
【００７２】
つぎに、同時に電源投入が行われることを防止するために、時間をカウントして（たとえば、Ｎ分）（ステップＳ２２２）、次の画像形成装置、たとえば画像形成装置２０４に省エネルギーモード解除信号を送信する（ステップＳ２２３）。つぎに、時間をカウントして（たとえば、Ｎ分）（ステップＳ２２４）、一定時間の経過後に、つぎの画像形成装置、たとえば画像形成装置２１０に省エネルギーモード解除信号を送信し（ステップＳ２２５）、本制御フローは終了する。
【００７３】
また、ステップＳ２１５においてＡ居室３０１に入室者がない場合は（ステップＳ２１５否定）、ステップＳ２２６に移行する。
【００７４】
ステップＳ２１４に戻って、Ａ居室３０１の全員が退出または退社したフラグ（たとえば、フラグ＝１）がセットされていない場合は（ステップＳ２１４否定）、Ｂ居室３０２の全員が退出または退社したフラグ（たとえば、フラグ＝２）がセットされているか否かを確認する（ステップＳ２２６）。Ｂ居室３０２の全員が退出または退社したフラグ（たとえば、フラグ＝２）がセットされている場合は（ステップＳ２２６肯定）、Ｂ居室３０２に入室者があるか否かを確認する（ステップＳ２２７）。
【００７５】
Ｂ居室３０１に入室者がある場合は（ステップＳ２２７肯定）、Ｂ居室３０２の予め設定（記憶）された照明を点灯する信号を照明設備制御装置２０２に送信する（ステップＳ２２８）。そして、以下はＡ居室３０１の場合と同様な確認動作をＢ居室３０２についても行う。具体的には、ステップＳ２１７〜ステップＳ２２５に対応する動作をＢ居室３０２についても行う。
【００７６】
また、ステップＳ２２７においてＢ居室３０２に入室者がない場合は（ステップＳ２２７否定）、ステップＳ２２９に移行する。
【００７７】
ステップＳ２２６に戻って、Ｂ居室３０２の全員が退出または退社したフラグ（たとえば、フラグ＝２）がセットされていない場合は（ステップＳ２２６否定）、Ｃ居室３０３の全員が退出または退社したフラグ（たとえば、フラグ＝３）がセットされているか否かを確認する（ステップＳ２２９）。Ｃ居室３０３の全員が退出または退社したフラグ（たとえば、フラグ＝３）がセットされている場合は（ステップＳ２２９肯定）、Ｃ居室３０３に入室者があるか否かを確認する（ステップＳ２３０）。
【００７８】
Ｃ居室３０３に入室者がある場合は（ステップＳ２３０肯定）、Ｃ居室３０３の予め設定（記憶）された照明を点灯する信号を照明設備制御装置２１４に送信する（ステップＳ２３１）。そして、以下はＡ居室３０１の場合と同様な確認動作をＣ居室３０３についても行う。具体的には、ステップＳ２１７〜ステップＳ２２５に対応する動作をＣ居室３０３についても行う。
【００７９】
ステップＳ２２９に戻って、Ｃ居室３０３の全員が退出または退社したフラグ（たとえば、フラグ＝３）がセットされていない場合（ステップＳ２２９否定）、およびＣ居室３０３に入室者がない場合は（ステップＳ２３０否定）、本制御フローは終了する。
【００８０】
つぎに、Ｉｎｔｅｒｎｅｔを使用した本発明にかかる画像形成装置監視システムについて説明する。図４にＩｎｔｅｒｎｅｔを使用した本発明にかかる画像形成装置監視システムの概略構成図を示す。本実施の形態にかかる画像形成装置監視システムは、Ａ社のネットワークシステム４０１と、Ｂ社のネットワークシステム４０２と、サービス会社２１３の監視装置２０８と、により構成されている。
【００８１】
Ａ社のネットワークシステム４０１は、画像形成装置２０３と、画像形成装置（プリンター）２０４と、パソコン２０５と、入退出管理システム２２０と、照明設備制御装置２０１と、が社内ＬＡＮ３２０に接続され、ファイアウォール（Ｆｉｒｅｗａｌｌ：外部から不正な侵入を防ぐ機能が組み込まれている）２３２を通してルーター（Ｒｏｕｔｅｒ）２３１に接続され、該ルーター２３１によりインターネットに接続されている。
【００８２】
Ｂ社のネットワークシステム４０２は、画像形成装置２１２と、画像形成装置２１５と、ＦＡＸ２２３と、パソコン２０７と、入退出管理システム２２１と、が社内ＬＡＮ３３０に接続され、ルーター（Ｒｏｕｔｅｒ）２３５を通してインターネットに接続されている。
【００８３】
サービス会社２１３の監視装置２０８は、上記の機器を監視するインターネットに接続されており、該監視装置２０８にはサーバー２０９が接続されている。
【００８４】
なお、本実施例は、ＬＡＮを使用したシステムであるが、アナログモデム、ＡＤＳＬを使用してインターネットに接続することも可能である。また、監視装置２０８の動作は、図１に示した監視装置２０８と同じ動作を行うのでここでは詳細な説明は省略する。
【００８５】
つぎに、監視装置２０８にネットワークを介して接続される画像形成装置について説明する。図５に、監視装置２０８にネットワークを介して接続される画像形成装置の概略構成図を示す。画像形成装置のシステムは、画像形成装置の全体制御を行うコントローラーボード５０１と、コントローラーボード５０１に接続された画像形成装置の操作部制御ボード５０２と、画像データを記憶するＨＤＤ５０３と、ＬＡＮインターフェースボード５０５と、汎用ＰＩＣバスによりコントローラーボード５０１に接続されたＦＡＸコントローユニット（ＦＣＵ）５０６と、エンジン制御ボード５１０と、エンジン制御ボード５１０に接続されたコピー原稿（画像）を読み込むスキャナーボード（ＳＢＵ）５１１と、画像データをドラム上に書き込む書き込み制御用ボード５１２と、画像形成装置に搭載された定着装置に電力を供給するＡＣ制御回路５１９と、上記ボード、制御回路に電源を供給するＰＳＵ(Power Supply Unit)５２５等を備えて構成される。
【００８６】
ＰＳＵ５２５はスイッチング・レギュレータＩＣ５１５を備えており、画像形成装置の画像形成を行うために必要な電源を各ボード、制御回路およびメカトロ部品に供給している。ＰＳＵ５２５は、エンジン制御ボード５１０のＣＰＵ５１８から、画像形成装置の使用電力を削減するための省エネルギーモード移行信号（ｃ）が出力されると、コントローラーボード５０１、ＬＡＮインターフェースボード５０５、省エネルギーモード解除ＳＷ５０８およびＡＤＦセンサー５０９への電源供給以外は停止する。
【００８７】
ＬＡＮインターフェースボード５０５は、社内ＬＡＮ５３１に接続されており、コントローラーボードとの通信インターフェースは、ＰＨＹチップＩ／ＦおよびＩ２ＣバスＩ／Ｆの標準的な通信インターフェースで接続されている。外部機器との通信はこのＬＡＮインターフェースボード５０５を経由して実施される。
【００８８】
ＬＡＮインターフェースボード５０５は、外部機器からの信号を受信すると、省エネルギーモード解除信号（ａ）をＰＳＵ５２５に出力する。ＰＳＵ５２５は省エネルギーモードを解除するために、画像形成装置の画像形成を行うために必要な電源を各ボード、制御回路およびメカトロ部品に電源を供給する。画像形成装置は、主電源のスイッチが投入された時と同じ状態に復帰する。
【００８９】
また、ＰＳＵ５２５は、省エネルギーモード解除ＳＷ５０８からの省エネルギーモード解除信号（ｂ）、圧板の開放を検知する圧板開閉センサー５２２、またはＡＤＦへの原稿挿入を検知するＡＤＦセンサー５４１の出力が入力されると、省エネルギーモードを解除するために、画像形成装置の画像形成を行うために必要な電源を各ボード、制御回路およびメカトロ部品に電源を供給する。画像形成装置は、主電源のスイッチが投入された時と同じ状態に復帰する。
【００９０】
以下、図５の画像形成装置システムの詳細説明を行う。原稿を光学的に読み取るカラー原稿読取ユニット５００は、原稿に対する原稿照明光源の走査を行い、カラーＣＣＤ５２１に原稿像を結像する。原稿像すなわち原稿に対する光照射の反射光をＣＣＤ５２１で光電変換してＲ、Ｇ、Ｂの画像信号を生成する。
【００９１】
カラーＣＣＤ５２１は、３ラインカラーＣＣＤで、ＥＶＥＮｃｈ／ＯＤＤｃｈのＲ、Ｇ、Ｂ画像信号を生成し、ＳＢＵボード５１１のアナログＡＳＩＣ５４２に入力する。ＳＢＵボード５１１には、アナログＡＳＩＣ５４２、およびカラーＣＣＤ５２１、アナログＡＳＩＣ５４２の駆動タイミングを発生するタイミング発生回路／制御回路５４３を備えている。カラーＣＣＤ５２１の出力は、アナログＡＳＩＣ５４２内部のサンプルホールド回路により、サンプルホールドされその後、Ａ／Ｄ変換され、Ｒ、Ｇ、Ｂの画像データに変換し、画像データバスの出力Ｉ／Ｆ（インターフェイス）５２０を介して画像データ処理器ＩＰＰ(Image Processing Processor、以下では単にＩＰＰと記述)５４４に送出される。
【００９２】
ＩＰＰ５４４は、画像処理をおこなうプログラマブルな演算処理手段であり、ＳＢＵ５１１からＩＰＰ５４４に転送された画像データは、ＩＰＰ５４４にて信号劣化（スキャナ系の信号劣化）を補正され、フレームメモリ５０７に書き込まれる。
【００９３】
コントローラーボード５０１には、ＣＰＵ５５１とコントローラーボードの制御を行うＲＯＭ５５２と、ＣＰＵ５５１が使用する作業用メモリであるＳＲＡＭ５５５と、リチウム電池によりＳＲＡＭのバックアップと時計機能を備えたＮＶ−ＲＡＭ５５３と、コントローラーボード５０１のシステバス制御、ローカルバス制御、フレームメモリー、ＦＩＦＯ等のメモリーインタフェース制御、ＰＣＩバス、ＨＤＤＩ／Ｆ、圧縮／伸長、編集／回転機能およびＣＰＵ周辺を制御する機能を搭載したＡＳＩＣ５５４と、そのインターフェース回路等が搭載されている。
【００９４】
また、ワークメモリ５０４は、プリンタで使用する画像展開（ドキュメントデータからイメージデータへの変換）の作業用メモリである。フレームメモリ５０７は、電源が供給され続けている状態で即座に印刷される読み取り画像や、書き込み画像のイメージデータを、一時蓄える作業用メモリである。
【００９５】
ＨＤＤ５０３は、システムのアプリケーションプログラムならびにプリンタ、作像プロセス機器の機器付勢情報を格納するアプリケーションデータベース、ならびに、読み取り画像や書き込み画像のイメージデータ、すなわち画像データ、ならびにドキュメントデータを蓄える画像データベースとして用いられる。
【００９６】
また、物理インターフェース、電気的インターフェース共に、ＡＴＡ／ＡＴＡＰＩ−４に準拠したインターフェースでコントローラーに接続されている。
【００９７】
コントローラーボード５０１は、上記機能を使用しスキャナアプリケーション、ファクシミリアプリケーション、プリンタアプリケーションおよびコピーアプリケーション等のシステム全体の制御を行う。また、操作部制御ボード５０２の入力を解読して、本システムの設定とその状態内容を操作部の表示部に表示する。
【００９８】
操作部制御ボード５０２には、ＣＰＵ５６１、ＲＯＭ５６２、ＲＡＭ５６３、ＬＣＤ５６４およびキー入力を制御するＡＳＩＣ（ＬＣＤＣ）が搭載されている。ＲＯＭ５６２には操作部制御ボード５０２の入力読込み、および表示出力を制御する、操作部制御ボード５０２を制御する制御プログラムが書き込まれている。ＲＡＭ５６３は、ＣＰＵで使用する作業用メモリである。
【００９９】
操作部制御ボード５０２は、コントローラーボード５０１との通信により、パネルを操作して使用者がシステム設定の入力を行う入力処理と、使用者にシステムの設定内容、状態を表示する表示処理および入力処理の制御を行っている。
【０１００】
エンジン制御ボード５１０は、画像形成装置の作像作成制御を主として行い、ＣＰＵ５１８および、画像処理を行うＩＰＰ５４４、複写およびプリントアウトを制御するため必要なプログラムを内蔵したＲＯＭ５７１、その制御に必要なＳＲＡＭ５７３、およびＮＶ―ＲＡＭ５７２を搭載している。また、他の制御を行なうＣＰＵとの信号の送受信を行なうシリアルインターフェースＡＳＩＣ５７５も備えている。
【０１０１】
Ｉ／ＯＡＳＩＣ５７４は、画像形成装置を制御するモーター、画像形成に使用する帯電、現像バイアス、転写バイアス等の高圧電源制御、コピー用紙を送り出すピックアップソレノイド、給紙クラッチ、レジストクラッチ等や、レジストセンサー、排出センサー等、トナーエンドドセンサー、Ｐセンサー、Ｔセンサー、定着温度を検出するサーミスター等のアナログ制御も含む画像形成装置のＩ／Ｏ制御を行っている。
【０１０２】
書き込み制御用ボード５１２には、書き込み画処理用ＡＳＩＣ５１３およびこの書き込み画処理用ＡＳＩＣ５１３から出力された、ブラック（Ｂ）、イエロー（Ｙ）、シアン（Ｃ）、マゼンタ（Ｍ）のＰＷＭ信号をドライブするレーザダイオード（ＬＤ）ドライバ５１４が搭載されている。書き込み画処理用ＡＳＩＣ５１３は、エッジ補正、ジャギー補正、倍密処理等を行っている。レーザダイオード（ＬＤ）５１７は、各色毎に４個のユットで構成され、同期検知センサー５１６を備えている。ＬＤドライバ５１４はＬＤの出力光をフォトディテクタ（ＰＤ）で検知して、フィードバックすることにより、レーザー光を所定の値になるよう電流制御（変調制御）をしている。
【０１０３】
以上説明したように本実施例の形態によれば、必要としない画像形成装置の電源を遠隔によりＯＮ／ＯＦＦ制御することにより、商用電源に複数の画像形成装置を接続した場合においても商用電源の同時期の過電流使用（突入電流）を防止し、また、必要としない画像形成装置を省エネルギーモードに移行し、必要時に省エネルギーモードを解除することにより、無駄な電力削減が可能な画像形成装置監視システムを提供できる。
【産業上の利用可能性】
【０１０４】
以上のように、本発明にかかる画像形成装置監視システムは、商用電源に複数の画像形成装置を接続したシステムに有用であり、特に、機器の電力削減および機器を使用してない時の無駄な電力削減に適している。
【図面の簡単な説明】
【０１０５】
【図１】ＯＡ機器、照明設備制御装置、入退出管理システムと機器監視装置とを社内ＬＡＮに接続した、本発明にかかる画像形成装置監視システムの概略構成図である。
【図２−１】監視装置が各室内の画像形成装置を省エネルギーモードに移行する、または省エネルギーモードを解除する場合の制御フローチャート、および各室内の照明を消灯または点灯させる場合の制御フローチャートである。
【図２−２】監視装置２０８が各室内の画像形成装置を省エネルギーモードに移行する、または省エネルギーモードを解除する場合の制御フローチャート、および各室内の照明を消灯または点灯させる場合の制御フローチャートである。
【図３−１】入退出管理システムからの情報に基づいて、監視装置が各室内の画像形成装置を省エネルギーモードに移行する、または省エネルギーモードを解除する場合の制御フローチャート、および各室内の照明を消灯または点灯させる場合の制御フローチャートである。
【図３−２】入退出管理システムからの情報に基づいて、監視装置が各室内の画像形成装置を省エネルギーモードに移行する、または省エネルギーモードを解除する場合の制御フローチャート、および各室内の照明を消灯または点灯させる場合の制御フローチャートである。
【図４】Ｉｎｔｅｒｎｅｔを使用した本発明にかかる画像形成装置監視システムの概略構成図である。
【図５】監視装置にネットワークを介して接続される画像形成装置の概略構成図である。
【符号の説明】
【０１０６】
２０１、２０２、２１４      照明設備制御装置
２０３、２０４、２０６、２１０、２１１、２１２、２１３、２１５      画像形成装置
２２０、２２１、２２２      入退出管理システム
２０８      監視装置
５０１      コントローラーボード
５０２      操作部ボード
５０３      ＨＤＤ
５０４      ワークメモリ
５０５      ＬＡＮインターフェースボード
５０６      ＦＡＸコントローユニット
５０７      フレームメモリ
５０８      省エネルギーモード解除キー
５０９      ＡＤＦ原稿検知センサー
５１０      エンジン制御ボード
５１１      スキャナーボード
５１２      書き込み制御用ボード
５１３      書き込み画処理用ＡＳＩＣ
５１４      ＬＤドライバ
５１５      スイッチング・レギュレータＩＣ
５１６      同期検知センサー
５１７      ＬＤ
５１８      ＣＰＵ
５１９      ＡＣ制御回路
５２０      入出力Ｉ／Ｆ
５２１      カラーＣＣＤ
５２２      圧板開閉サンサー
５２３      入出力Ｉ／Ｆ
５２４      入出力Ｉ／Ｆ
５２５      ＰＳＵ
５２６      省エネ信号
【図１】
2006262163.tif 000003
【図２−１】
2006262163.tif 000004
【図２−２】
2006262163.tif 000005
【図３−１】
2006262163.tif 000006
【図３−２】
2006262163.tif 000007
【図４】
2006262163.tif 000008
【図５】
2006262163.tif 000009